(57)【要約】
【課題】  本考案は、照明器具を別に保持する必要がなく、暗い場所でも工作作業が容易な手工具を提供することを目的とする。
【解決手段】  手工具Ｔ１は、把持部１０と、把持部１０の一端側に取り付けられた工具ビット２０とから構成されており、把持部１０には、工具ビット２０の先端方向に光を照射する照明手段３０が設けられている。
【選択図】      図２
0003101435.tif 000002
【実用新案登録請求の範囲】
【請求項１】
把持部と、
前記把持部に一端が固定されている工具ビットとからなる手工具において、
前記把持部は、前記工具ビットの先端方向へ光を照射する照明手段を備えることを特徴とする手工具。
【請求項２】
前記照明手段は、
発光ダイオードと、
前記発光ダイオードを覆うレンズと、
前記発光ダイオードを点灯させるための電池と、を備えていることを特徴とする請求項１に記載の手工具。
【請求項３】
前記発光ダイオード及び前記レンズは、前記把持部の前記工具ビット側の端部に配置されていることを特徴とする請求項２に記載の手工具。
【請求項４】
前記発光ダイオードは、白色発光ダイオードであることを特徴とする請求項２又は請求項３に記載の手工具。
【請求項５】
前記把持部は、
前記工具ビットが固定される工具ビット固定体と、
前記照明手段を備える照明ユニットと、
前記工具ビット固定体及び前記照明ユニットと嵌合するグリップ体と、からなることを特徴とする請求項１から請求項４のいずれか１項に記載の手工具。
【請求項６】
前記工具ビット固定体は、一方の端部から前記工具ビットが延出するとともに、他方の端部に前記グリップ体と嵌合する工具ビット固定体側嵌合部が形成されており、
前記照明ユニットは、前記照明手段と、該照明手段を収納する箱状のハウジングとからなり、
前記グリップ体は、一方の端部が開口した有底の筒状部材であって、該筒状部材の中空部に前記照明ユニットのハウジングを嵌装するとともに、前記一方の端部に前記工具ビット固定体側嵌合部と嵌合するグリップ体側嵌合部が形成されている、
ことを特徴とする請求項５に記載の手工具。
【請求項７】
前記工具ビット固定体側嵌合部及び前記グリップ体側嵌合部は、どちらか一方が凸部であるとともに他方が凹部であり、前記凹部及び凸部は、軸直角方向の断面形状が多角形形状に形成されていることを特徴とする請求項６に記載の手工具。
【請求項８】
前記ハウジングは、その側面に前記照明手段のスイッチを備え、
前記グリップ体は、前記スイッチを操作するための操作部を備え、
前記ハウジングと前記筒状部材の中空部の軸直角方向の断面形状は、ある特定の向きにおいてのみ互いに嵌合する形状をし、
前記操作部は、前記ハウジングを前記筒状部材の中空部に嵌合したときに前記スイッチと対向する位置に設けられていることを特徴とする請求項６又は請求項７に記載の手工具。
【請求項９】
前記ハウジング及び前記筒状部材の中空部の軸直角方向の断面形状は、正方形の一つの頂点を切り欠いた変形五角形形状に形成されていることを特徴とする請求項８に記載の手工具。
【請求項１０】
前記ハウジングは、工具ビット固定体側の端面に前記照明手段の発光ダイオード及びレンズが突設され、
前記工具ビット固定体は、前記ハウジングと当接する面と前記工具ビットが延出する面とを貫通して前記発光ダイオード及びレンズを挿入する照明孔が穿設されていることを特徴とする請求項６から請求項９のいずれか１項に記載の手工具。
【考案の詳細な説明】
【技術分野】
【０００１】
本考案は、手工具に関し、詳しくは、暗い場所でも使用することが可能な手工具に関する。
【背景技術】
【０００２】
従来、暗がりや薄暗がりの状態で手工具を用いた締付け作業や取外し作業を行う場合は、ネジやボルト等の締結対象物がよく見えないため、作業が困難であった。そこで、このような場合は、懐中電灯にて作業個所を照らしながら作業を行っていた。
【考案の開示】
【考案が解決しようとする課題】
【０００３】
ところが、懐中電灯等の照明具があったとしても、片手で照明具を保持する必要や、他人に照明具を保持してもらう必要があり、不便である。
また、締結対象物は光源から遠い位置にあるのに加えて手暗がりとなり、暗くて狭い空間での作業が依然として困難な作業となっていた。
【０００４】
そこで、本考案では、前記した問題を解決し、照明器具を別に保持する必要がなく、暗い場所でも工作作業が容易な手工具を提供することを目的とする。
また、本考案は、製造や組立が容易な手工具を提供することを目的とする。
【課題を解決するための手段】
【０００５】
前記課題を解決するため、本考案の請求項１に係る手工具は、把持部と、この把持部に一端が固定されている工具ビットと、からなる手工具において、前記把持部は、前記工具ビットの先端方向へ光を照射する照明手段を備えることを特徴とする。
【０００６】
ここで、「工具ビット」とは、先端部が所定の工作機能を有するように形成されている部材をいい、例えば先端部が＋ドライバや−ドライバの形状となっている金属性の棒状部材等をいう。
かかる手工具によれば、把持部は、工具ビットの先端方向へ光を照射する照明手段を備えることから、他の照明具を用いることなく、工具ビットの先端方向にある工作対象物に光を照射することができる。
【０００７】
請求項２に係る手工具は、請求項１に係る手工具において、照明手段は、発光ダイオードと、この発光ダイオードを覆うレンズと、発光ダイオードを点灯させるための電池と、を備えていることを特徴とする。
【０００８】
かかる手工具によれば、照明手段は発光ダイオードを備えていることから、従来の電球等に比べて長寿命で消費電力が少ない照明手段とすることができる。また、照明手段は発光ダイオードを覆うレンズを備えていることから、工具ビットの先端付近を集中的に照明することができる。また、照明手段は、発光ダイオードを点灯させるための電池を備えていることから、コードレスな手工具とすることができる。
【０００９】
請求項３に係る手工具は、請求項２に記載の手工具であって、発光ダイオード及びレンズは、把持部の工具ビット側の端部に配置されていることを特徴とする。
【００１０】
かかる手工具によれば、発光ダイオード及びレンズは、把持部の工具ビット側の端部に配置されていることから、工具ビットの先端方向へ光を照射するために把持部の側面から発光ダイオード及びレンズを突出させたりする必要がない。
【００１１】
請求項４に係る手工具は、請求項２又は請求項３に記載の手工具であって、発光ダイオードは白色発光ダイオードであることを特徴とする。
【００１２】
かかる手工具によれば、発光ダイオードは白色発光ダイオードであることから、自然光に近い光を照射することができるため、他の色の発光ダイオードに比べて視認性が向上する。
【００１３】
請求項５に係る手工具は、請求項１から請求項４のいずれか１項に記載の手工具であって、把持部は、工具ビットが固定される工具ビット固定体と、照明手段を備える照明ユニットと、工具ビット固定体及び前記照明ユニットと嵌合するグリップ体と、からなることを特徴とする。
【００１４】
かかる手工具によれば、把持部は、工具ビット固定体と、照明ユニットと、グリップ体とに分割できることから、これら３つのパーツを別々に製造することができる。とくに、照明手段を把持部と一体的に（把持部の内部に）製造するのは複雑な工程を必要とすることから、手工具の製造が容易になるとともに、製造方法の自由度が向上する。
【００１５】
請求項６に係る手工具は、請求項５に記載の手工具であって、工具ビット固定体は、一方の端部から工具ビットが延出するとともに、他方の端部にグリップ体と嵌合する工具ビット固定体側嵌合部が形成されており、照明ユニットは、照明手段とこの照明手段を収納する箱状のハウジングとからなり、グリップ体は、一方の端部が開口した有底の筒状部材であって、該筒状部材の中空部に照明ユニットのハウジングを嵌装するとともに、この一方の端部に工具ビット固定体側嵌合部と嵌合するグリップ体側嵌合部が形成されている、ことを特徴とする。
【００１６】
かかる手工具によれば、照明手段が収納された箱状のハウジングを有底筒状に形成したグリップ体の中空部に嵌装し、このグリップ体の開口部に工具ビット固定体を嵌合させることにより把持部（手工具）が形成されることから、各部材を嵌め合わせるだけで手工具を組み立てることができ、手工具の組立作業が容易となる。また、照明ユニットは、箱状のハウジングに照明手段を収納する構造となっていることから、インサート射出成形等の煩雑な工程が不要となり、照明ユニットの製造が容易となる。
【００１７】
請求項７に係る手工具は、請求項６に記載の手工具であって、工具ビット固定体側嵌合部及びグリップ体側嵌合部は、どちらか一方が凸部であるとともに他方が凹部であり、前記凹部及び凸部は、軸直角方向の断面形状が多角形形状に形成されていることを特徴とする。
【００１８】
かかる手工具によれば、工具ビット固定体側嵌合部及びグリップ体側嵌合部は、どちらか一方が凸部であるとともに他方が凹部であり、前記凹部及び凸部は、軸直角方向の断面形状が多角形形状に形成されていることから、軸回りには回転不可能な状態で互いに嵌合し合うこととなる。そのため、工具ビットを回転させるためにグリップ体に加えられた回転力がこれら工具ビット固定体側嵌合部及びグリップ体側嵌合部を介して工具ビットに全て伝達され、工具ビットを確実に回転させることができる。また、照明ユニットの一部が工具ビット固定体に嵌合している場合であっても、略全ての回転力がこれら工具ビット固定体側嵌合部及びグリップ体側嵌合部を介して工具ビットに伝達されることから、照明ユニットがねじれることがなく、照明ユニットの破損を防止することができる。
なお、工具ビット固定体側嵌合部及びグリップ体側嵌合部は、互いに凹凸嵌合可能であれば、どちらが凸部（あるいは凹部）であってもよい。
【００１９】
請求項８に係る手工具は、請求項６又は請求項７に記載の手工具であって、前記ハウジングは、その側面に前記照明手段のスイッチを備え、前記グリップ体は、前記スイッチを操作するための操作部を備え、前記ハウジングと前記筒状部材の中空部の軸直角方向の断面形状は、ある特定の向きにおいてのみ互いに嵌合する形状をし、前記操作部は、前記ハウジングを前記筒状部材の中空部に嵌合したときに前記スイッチと対向する位置に設けられていることを特徴とする。
【００２０】
ここで、ハウジングの「側面」とは、ハウジングと筒状部材の中空部とを嵌合させたときに、筒状部材の中空部の内周面と接する面である。また、操作部は、把持部の外周面から照明手段のスイッチを操作可能な構造であることが好ましい。また、「向き」とは、手工具の軸回り方向におけるハウジングと筒状部材の中空部との相対的な向きをいう。
【００２１】
かかる手工具によれば、ハウジング及び筒状部材の中空部の軸直角方向の断面形状は、ある特定の向きにおいてのみ互いに嵌合する形状をしていることから、予定された向き以外で嵌合することがない。そして、操作部は、ハウジングを筒状部材の中空部に嵌合したときにスイッチと対向する位置に設けられていることことから、ハウジングを筒状部材の中空部に嵌合し得たときは、スイッチと操作部は必ず対向していることとなる。そのため、暗闇の中で手工具を組み立てた場合でも、スイッチと操作部の位置がずれることがない。また、スイッチはハウジングの側面に設けられ、操作部はスイッチと対向する位置に設けられていることから、把持部を握ったまま片手で照明手段を点灯することができる。
【００２２】
請求項９に係る手工具は、請求項８に記載の手工具であって、ハウジング及び筒状部材の中空部の軸直角方向の断面形状は、正方形の一つの頂点を切り欠いた変形五角形形状に形成されていることを特徴とする。
【００２３】
かかる手工具によれば、ハウジング及び筒状部材の中空部の軸直角方向の断面形状は、正方形の一つの頂点を切り欠いた変形五角形形状に形成されていることから、特定の向きにおいてのみ互いに嵌合する。
【００２４】
請求項１０に係る手工具は、請求項６から請求項９のいずれか１項に記載の手工具であって、ハウジングは、工具ビット固定体側の端面に照明手段の発光ダイオード及びレンズが突設され、工具ビット固定体は、ハウジングと当接する面と前記工具ビットが延出する面とを貫通して発光ダイオード及びレンズを挿入する照明孔が穿設されていることを特徴とする。
【００２５】
かかる手工具によれば、ハウジングは、照明手段の発光ダイオード及びレンズが工具ビット固定体側の端面に突設され、工具ビット固定体は、ハウジングと当接する面と前記工具ビットが延出する面とを貫通して発光ダイオード及びレンズを挿入する照明孔が穿設されていることから、照明ユニットを独立して製造可能としつつ発光ダイオード及びレンズを把持部の工具ビット側端面に配置することができる。
【考案の効果】
【００２６】
請求項１に係る手工具によれば、他の照明具を用いることなく、工具ビットの先端方向にある工作対象物に光を照射することができることから、暗い場所でも容易に作業を行うことが可能になる。
【００２７】
請求項２に係る手工具によれば、従来の電球等に比べて長寿命で消費電力が少なく、工具ビットの先端付近を集中的に照明することができる手工具を提供することができる。また、コードレスな手工具とすることができることから、操作性が良好な手工具を提供することができる。
【００２８】
請求項３に係る手工具によれば、発光ダイオード及びレンズを把持部の側面から突出させたりする必要がないことから、把持部を握り易い形状にすることができ、作業性が向上する。
【００２９】
請求項４に係る手工具によれば、他の色の発光ダイオードに比べて視認性が向上することから、暗闇での作業がより一層容易になる。
【００３０】
請求項５に係る手工具によれば、３つのパーツを別々に製造することができることから、手工具の製造方法が容易になるとともに、製造方法の自由度が向上する。そのため、製造コストの削減を図ることもできる。また、３つのパーツの何れかが壊れた場合にも、壊れていないパーツを無駄にすることなく、容易に修理・交換することができる。
【００３１】
請求項６に係る手工具によれば、３つのパーツを嵌め合わせるだけで手工具を組み立てることができることから、暗闇でも容易に手工具を組み立てることができる。
【００３２】
請求項７に係る手工具によれば、分割して作製された把持部が多角形形状に形成された嵌合部によって接続されるため、工具ビットへ回転力を確実に伝達することができる。また、多角形形状に形成された嵌合部によって、グリップ体に加えられた回転力は全て工具ビット固定体に伝達されるので、把持部の内部に備えられた照明手段に回転力が伝わって照明手段が破損することがない。
【００３３】
請求項８に係る手工具によれば、暗闇の中で手工具を組み立てた場合でも、スイッチと操作部の位置がずれることがないことから、暗闇の中での組立作業が容易となり、作業効率が向上する。また、把持部を握ったまま片手で照明手段を点灯・消灯することができることから、操作性のよい手工具を提供することができる。
【００３４】
請求項９に係る手工具によれば、ハウジング及び筒状部材の中空部の軸直角方向の断面形状は、正方形の一つの頂点を切り欠いた変形五角形形状に形成されていることから、ハウジングと筒状部材の中空部とを特定の向きにおいてのみ互いに嵌合させることができる。そのため、ハウジングの側面に設けられたスイッチとグリップ体に設けられた操作部の位置がずれることがなく、暗闇の中での組立作業が容易となり、作業効率が向上する。
【００３５】
請求項１０に係る手工具によれば、照明ユニットを独立的に製造可能としつつ、発光ダイオード及びレンズを工具ビット固定体の工具ビット側端面に配置することができるため、手工具の製造効率が向上するとともに、照明器具を別に保持しながら作業する必要がないため、ネジやボルトの締付作業や取外し作業の作業効率が向上する。
【考案を実施するための最良の形態】
【００３６】
以下、第１の考案に係る手工具Ｔ１の実施形態（第１の実施形態）について、図１及び図２を参照して説明し、第２の考案に係る手工具Ｔ２の実施形態（第２の実施形態）について、図３〜図５を参照して説明する。
【００３７】
（第１の実施形態）
図１は、第１の実施形態に係る手工具Ｔ１を示す断面図であり、（ａ）は縦断面図、（ｂ）は（ａ）のＡ−Ａ矢視図、（ｃ）は（ａ）のＢ−Ｂ矢視図である。また、図２は、手工具Ｔ１の使用状態を示す斜視図である。なお、本実施形態では、手工具Ｔ１がドライバの場合について説明する。
【００３８】
手工具Ｔ１は、図１に示すように、把持部１０と、把持部１０の一端側に取り付けられた工具ビット２０とから構成されており、前記把持部１０には、工具ビット２０の先端方向に光を照射する照明手段３０が設けられている。以下、各部について詳細に説明する。
【００３９】
把持部１０は、略円柱形状の把持部本体１１と、この把持部本体１１の他端側に取り付けられるキャップ１２とから構成されている。また、把持部本体１１は、照明手段３０を内蔵している。把持部１０は、例えば金型に熱可塑性の合成樹脂等を射出成形すること等により製造される。
【００４０】
把持部本体１１の一端側には、工具ビット２０を取り付けるための工具ビット取付穴１１ａが設けられており、他端側には照明手段３０の電池３３を収納するための電池収納空間１１ｂが設けられている。工具ビット取付穴１１ａは、把持部１０の中心軸と略同軸となる位置に形成されている。電池収納空間１１ｂは、電池３３の形状に対応した形状（例えばボタン電池の場合は扁平な円柱状空間（図１（ａ）参照））に形成されている。さらに、把持部本体１１の他端側には、電池収納空間１１ｂに連続して、キャップ１２を取り付けるためのキャップ取付穴１１ｃが形成されている。キャップ取付穴１１ｃは、電池収納空間１１ｂと略同径か若干大きめに形成されており、その内周面には雌ネジ溝が形成されている。
【００４１】
キャップ１２は、径の異なる円盤状部材を２つ重ねた形状であり、把持部本体１１と略同径に形成された底部１２ａと、キャップ取付穴１１ｃと略同径に形成された係合部１２ｂとから構成されている。この係合部１２ｂの外周面には雄ネジ溝が形成されており、係合部１２ｂをキャップ取付穴１１ｃに螺着することにより、キャップ１２は電池収納空間１１ｂを塞いで把持部１０の底部（端部）を形成するようになっている。
また、キャップ１２は、照明手段３０の電源をＯＮ／ＯＦＦするスイッチ３６と電池３３の一方の電極に当接する端子を備えている。
【００４２】
工具ビット２０は、例えば金属製の棒状部材であり、先端部２０ａは所定の工作機能に適した形状（例えば−（マイナス）ドライバ形状等）に形成されており、基端部２０ｂは、把持部１０の工具ビット取付穴１１ａに取り付けられている。
【００４３】
なお、本実施形態では、工具ビット２０の先端部２０ａは、図１に示すように、−ドライバ形状に形成されているが、これに限らず、例えば＋ドライバや、ドライバ以外のナット、袋ナット、カッターなど任意の形状のものを用いることができる。
【００４４】
また、工具ビット２０は、把持部１０の工具ビット取付穴１１ａに公知のチャック手段を備えて、着脱可能、交換可能に構成してもよい。これにより、手工具Ｔ１は、一つの照明手段３０によって複数の工作機能を果たすことが可能となる。
【００４５】
また、工具ビット２０を着脱可能、交換可能とせずに、工具ビット２０の基端部２０ｂに把持部１０をインサート成形して、工具ビット２０と把持部１０とを強固に固定してもよい。かかる場合には、自動車修理工場のようなハードな作業環境であっても、工具ビット２０がぐらついたりすることがない。
【００４６】
照明手段３０は、把持部１０に内蔵されており、工具ビット２０の先端方向に光を照射するようになっている。照明手段３０は、白色発光ダイオード３１、３１と、それを覆うレンズ３２、３２と、電源である電池３３と、基板３４と、白色発光ダイオード３１と基板３４とを結ぶ配線３５と、スイッチ３６とから構成されている。
【００４７】
白色発光ダイオード３１、３１は、図１（ａ）に示すように、把持部本体１１の工具ビット２０側の端面に埋め込まれるように取り付けられている。埋め込まれることにより、取り扱い時の衝撃から白色発光ダイオード３１、３１が保護されて耐久性が向上する。また、本実施形態では、白色発光ダイオード３１、３１は、図１（ｂ）に示すように、工具ビット２０を挟んで１８０度反対側にそれぞれ配置されている。これにより、工具ビット２０の先端部２０ａは両側から照明されるため、作業対象物（作業対象個所）に工具ビット２０の影が映らないようになっている。
なお、本実施形態においては、視認性向上の観点から白色発光ダイオード３１を用いたが、これに限らず、赤色、緑色の発光ダイオードを用いてもよい。
【００４８】
レンズ３２、３２は、図１（ａ）（ｂ）に示すように、白色発光ダイオード３１、３１が埋め込まれた把持部本体１１の工具ビット２０側の端面（表面）に、白色発光ダイオード３１、３１を覆うように取り付けられている。レンズ３２、３２は、工具ビット２０の先端部２０ａ周辺を白色発光ダイオード３１、３１の光が照らすようにレンズの曲率を調整したものを使用するのが好ましい。
【００４９】
電池３３は、白色発光ダイオード３１、３１を点灯させるための電源であり、把持部本体１１に形成された電池収納空間１１ｂに収納されている。本実施形態では、電池３３としてボタン電池を用いているが、これに限らず他の乾電池や蓄電池を用いてもよい。
【００５０】
基板３４は、白色発光ダイオード３１、３１に所定の電流を通電するために必要な抵抗等を備えた基板である。基板３４は、図１に示すように、電池収納空間１１ｂの工具ビット２０側に取り付けられており、電池３３の一方の電極に接続される。また、キャップ１２の係合部１２ｂの端面には電池３３の他方の電極に接続される端子が設けられており、キャップ１２を閉じてスイッチ３６を入れると、電池収納空間１１ｂの周面に設けられた図示しない導電体を介してキャップ１２に設けられた端子と基板３４とが接続されて回路に電流が流れるようになっている。
【００５１】
配線３５は、図１（ａ）に示すように、白色発光ダイオード３１、３１と基板３４とを結ぶ導電体である。これにより白色発光ダイオード３１、３１に所定の電流が供給されて点灯する。
【００５２】
スイッチ３６は、公知のスイッチ機構で構成されており、本実施形態では、把持部１０のキャップ１２に設けられている。スイッチ３６としては、例えば押しボタン式や回転式、スライド式等の公知のスイッチを利用することができる。
【００５３】
このように構成された手工具Ｔ１は次のように使用される。
【００５４】
図２は、手工具Ｔ１の使用状態を示す斜視図である。
はじめに、把持部１０の底部１２ａに設けられたスイッチ３６を操作して白色発光ダイオード３１、３１を点灯させて、工具ビット２０の先端部２０ａ付近を照明する。
【００５５】
つぎに、作業対象物Ｓに取り付けられているネジＮに工具ビット２０の先端部２０ａを向ける。白色発光ダイオード３１、３１は工具ビット２０の先端方向に光を照射するように構成されているため、図２に示すように、白色発光ダイオード３１、３１によってネジＮの周辺が照明される。したがって、暗がりの中にネジＮがある場合であっても、懐中電灯等の他の照明手段を必要とせずに、目的物（ネジＮ）を容易に見つけることができる。
【００５６】
そして、このネジＮに工具ビット２０の先端部２０ａを係合させて取外し作業あるいは締付け作業を行う。このとき、白色発光ダイオード３１、３１の光は、レンズ３２、３２によって先端部２０ａ付近を照らしているため、作業中にネジＮの周辺が暗くなることがない。なお、工具ビット２０を工具ビット取付穴１１ａから取り外すことにより、手工具Ｔ１を単なる照明具として使用することが可能である。
【００５７】
（第２の実施形態）
つづいて本考案の第２の実施形態について説明する。説明する図面において、図３は、第２の実施形態に係る手工具Ｔ２を示す縦断面図であり、（ａ）は分解図、（ｂ）は組立図である。また、図４は、第２の実施形態に係る手工具Ｔ２の各構成要素の端面を示した図であり、（ａ）は図３（ａ）のＡ−Ａ矢視図、（ｂ）は同じく図３（ａ）のＢ−Ｂ矢視図、（ｃ）は図３（ａ）のＣ−Ｃ矢視図である。なお、第１の実施形態と同一の構成要素については同一の番号を付し、重複する説明は省略する。
【００５８】
手工具Ｔ２は、図３（ａ）に示すように、工具ビット２０と、把持部５０とから構成されている。さらに、把持部５０は、工具ビット２０が固定される工具ビット固定体５１と、照明手段３０を備える照明ユニット５２と、これら工具ビット固定体５１及び照明ユニット５２と嵌合するグリップ体５３とから構成されている。すなわち、手工具Ｔ２は、前記した第１の実施形態に係る手工具Ｔ１の把持部１０を３つに分割して形成したものである。
【００５９】
工具ビット固定体５１は、工具ビット２０を把持部５０に固定するための部材であり、扁平な円柱形状の固定部５１ａと、この固定部５１ａよりも小径の工具ビット固定体側嵌合部５１ｂとから構成されている。固定部５１ａの一端側の中心には工具ビット２０の基端部２０ｂが固定されており、工具ビット２０が延出している。固定部５１ａの他端側には工具ビット固定体側嵌合部５１ｂが凸設されており、後記するグリップ体５３に形成されたグリップ体側嵌合部５３ａと嵌合するようになっている。手工具Ｔ２の回転軸と直交する方向における工具ビット固定体側嵌合部５１ｂの断面形状は、正八角形形状を呈しており（図４（ａ）参照）、後記するグリップ体５３に形成されたグリップ体側嵌合部５３ａに回転不可能に内嵌されるようになっている。また、工具ビット固定体側嵌合部５１ｂには、後記する照明ユニット５２のハウジング５２ａに対応する断面形状をした照明ユニット用凹部５１ｃが凹設されている（図４（ａ）（ｃ）参照）。さらに、この照明ユニット用凹部５１ｃの底面から固定部５１ａの一端側に貫通するように照明孔５１ｄ、５１ｄが穿設されている。また、工具ビット固定体側嵌合部５１ｂの固定部５１ａ側の外周面には、後記するグリップ体５３に設けられた係合突起５３ｆと係合する係合溝５１ｆが環状に形成されている。
なお、後記する照明ユニット５２に突設された白色発光ダイオード３１、３１及びレンズ３２、３２を照明孔５１ｄ、５１ｄに嵌装できるのであれば、工具ビット固定体５１に照明ユニット用凹部５１ｃを設けなくてもよい。
【００６０】
工具ビット固定体５１は、例えば工具ビット固定体５１を成形するための金型に工具ビット２０の基端部２０ｂを挿入しておき、金型に熱可塑性の合成樹脂等を射出成形することにより形成するのが好適である。これにより、工具ビット２０と工具ビット固定体５１とが強固に固定されるため、工具ビット２０がぐらつくことを防止することができる。
なお、工具ビット固定体５１に公知のチャック機構をインサート成形して、工具ビット２０を交換可能にしてもよい。
【００６１】
照明ユニット５２は、照明手段３０を収納する箱状のハウジング５２ａから構成されている。このように、照明手段３０をハウジング５２ａに収納することにより、把持部５０から照明手段３０を独立させることができる。そのため、手工具Ｔ２を製造する際に、把持部５０と照明手段３０とを一体的に製造する必要がなく、把持部５０の製造が容易になる。
【００６２】
ハウジング５２ａは、照明手段３０の各構成要素を収納するケースである。ハウジング５２ａの一端側には、白色発光ダイオード３１、３１が組み立て後に工具ビット２０を挟んで両側に位置するように突設されている。また、この白色発光ダイオード３１、３１の先端にはレンズ３２，３２が取り付けられている。これら白色発光ダイオード３１、３１及びレンズ３２、３２は、照明ユニット５２を工具ビット固定体５１の照明ユニット用凹部５１ｃに嵌め込んだときに、工具ビット固定体５１に設けられた照明孔５１ｄに挿入されるようになっている。
【００６３】
また、ハウジング５２ａは、電池３３と、基板３４と、配線３５とを内部に備えている。これらについては第１の実施形態と同様であるため、詳しい説明は省略する。また、スイッチ３６は、ハウジング５２ａの側面に設けられており（図５参照）、ハウジング５２ａの内部から引き出した配線３５と接続されている。スイッチ３６については、後に詳しく説明する。
【００６４】
グリップ体５３は、細長い有底円筒形状の部材であり、手工具Ｔ２の使用者に把持される部分である。グリップ体５３の一端側には工具ビット固定体５１の工具ビット固定体側嵌合部５１ｂと嵌合するグリップ体側嵌合部５３ａが凹設されている。また、グリップ体側嵌合部５３ａの底部には、さらに、照明ユニット用凹部５３ｂが連続して凹設されている。なお、かかる照明ユニット用凹部５３ｂが実用新案登録請求の範囲にいう「筒状部材の中空部」に相当する。
【００６５】
グリップ体側嵌合部５３ａは、工具ビット固定体５１の工具ビット固定体側嵌合部５１ｂの外径と略同じ内径を有する凹部である。グリップ体側嵌合部５３ａの凹部の断面形状は、工具ビット固定体５１に形成された工具ビット固定体側嵌合部５１ｂと隙間なく嵌合するように、正八角形形状に形成されている。また、グリップ体側嵌合部５３ａの工具ビット２０側端部の内周面には、工具ビット固定体５１の係合溝５１ｆと着脱自在に係合する係合突起５３ｆが環状に設けられている。
【００６６】
照明ユニット用凹部５３ｂは、照明ユニット５２を挿入するための凹部であり、照明ユニット５２の断面形状と略同一の形状に形成されている。照明ユニット用凹部５３ｂの底部には、スプリング５３ｃが設置されており、工具ビット固定体５１に向かって照明ユニット５２を付勢するように構成されている。
また、照明ユニット用凹部５３ｂの内周面には、ハウジング５２ａの側面に設けられたスイッチ３６を嵌挿するためのスイッチ用溝５３ｅ（図４（ｂ）参照）が形成されている。スイッチ用溝５３ｅは、ハウジング５２ａへのスイッチ３６の取付位置に応じて、照明ユニット用凹部５３ｂの工具ビット２０側の端部から所定の長さに渡って溝状に形成されている。また、照明ユニット５２を照明ユニット用凹部５３ｂに挿入したときに、スイッチ３６の板バネ３６ｃ（図５参照）と対向する位置に、スイッチ孔５３ｇが形成されている（図５参照）。
【００６７】
手工具Ｔ２を組み立てるには、はじめに、白色発光ダイオード３１、３１が突設されていない方の端部から照明ユニット５２をグリップ体５３の照明ユニット用凹部５３ｂに挿入する。
【００６８】
つぎに、照明ユニット５２の白色発光ダイオード３１、３１が突設されている端部を工具ビット固定体５１の工具ビット固定体側嵌合部５１ｂに形成された照明ユニット用凹部５１ｃに挿入しつつ、工具ビット固定体５１の工具ビット固定体側嵌合部５１ｂをグリップ体５３の一端側に形成されたグリップ体側嵌合部５３ａに嵌合させる。なお、この順序は逆でもよい。ちなみに、照明孔５１ｄ、５１ｄは、白色発光ダイオード３１、３１の保護管あるいはサヤ管としての役割を果たす。
【００６９】
図４は、手工具Ｔ２の各構成要素の端面を示した図であり、（ａ）は図３（ａ）のＡ−Ａ矢視図、（ｂ）は同じくＢ−Ｂ矢視図、（ｃ）は同じくＣ−Ｃ矢視図である。
図４（ｂ）（ｃ）に示すように、照明ユニット５２のハウジング５２ａとグリップ体５３の照明ユニット用凹部５３ｂは、ある特定の向きにおいてのみ互いに嵌合する形状をしている。本実施形態では、照明ユニット５２は、図４（ｃ）に示すように、正方形の一つの頂点を切欠いた変形五角形形状に形成されており、グリップ体５３の照明ユニット用凹部５３ｂも、図４（ｂ）に示すように、切欠部５３ｄを有する変形五角形形状に形成されている。また、工具ビット固定体５１の照明ユニット用凹部５１ｃも、図４（ａ）に示すように、切欠部５１ｅを有する変形五角形形状に形成されている。
【００７０】
これら照明ユニット用凹部５１ｃ、５３ｂに照明ユニット５２を挿入する際は、それぞれの切欠部５１ｅ、５２ｂ、５３ｄの位置を合わせて挿入する。これにより、工具ビット固定体５１と照明ユニット５２とグリップ体５３は、ある特定の向きにおいてのみ互いに嵌合することとなる。
【００７１】
照明ユニット５２は、照明手段３０のスイッチ３６をハウジング５２ａの側面に備えている（図５参照）。また、グリップ体５３は、図４（ｂ）及び図５（ｂ）に示すように、このスイッチ３６の取付位置に合わせて、照明ユニット５２を照明ユニット用凹部５３ｂに挿入したときにスイッチ３６を挿通させるためのスイッチ用溝５３ｅとスイッチ３６を操作するためのスイッチ孔５３ｇを備えている。
したがって、照明ユニット５２とグリップ体５３は、ある特定の向きにおいてのみ互いに嵌合することから、暗闇で手工具Ｔ２を組み立てる場合でも、スイッチ３６とスイッチ用溝５３ｅの位置がずれることがない。したがって、暗闇でも容易に手工具Ｔ２を組み立てることができる。換言すれば、手工具Ｔ２の組み立てが終わり、スイッチ穴３６ｇを押圧したときに、白色発光ダイオード３１が点灯しないことがない。
なお、図示は省略するが、ハウジング５２ａの側面にスイッチ３６を取り付けるための凹部を形成して、この凹部にスイッチ３６を取り付けた場合には、スイッチ用溝５３ｅは不要となる。かかる場合であっても、切欠部５１ｅ、５２ｂ、５３ｄの位置を合わせることによって、スイッチ３６とスイッチ孔５３ｇの位置がずれることなく、暗闇の中でも手工具Ｔ２を組み立てることができる。
【００７２】
図５は、スイッチの構造を示す断面図であり、（ａ）はハウジングの側面に設置されたスイッチを示す斜視図、（ｂ）はスイッチ部分の拡大断面図（図４（ｂ）（ｃ）のＤ−Ｄ断面）である。
【００７３】
スイッチ３６は、図５（ａ）に示すように、ハウジング５２ａの外側側面に取り付けられたスイッチ基板３６ａと、このスイッチ基板３６ａの表面に形成された導体パターン３６ｂと、この導体パターン３６ｂにハトメ３６ｄにより接続された板バネ３６ｃと、からなる。
【００７４】
スイッチ基板３６ａの表面には、電気的に分離した２つの導体パターン３６ｂ、３６ｂが設けられており、この導体パターン３６ｂ、３６ｂにはハウジング５２ａに形成した孔から引き出した配線３５がはんだ付けなどにより接続されている。板バネ３６ｃは、金属等の導電性の細長い板状部材を折り曲げて形成したものであり、板バネ３６ｃの一方の端部は一方の導体パターン３６ｂにハトメ３６ｄによって取り付けられている。板バネ３６ｃの他方の端部は、他方の導体パターン３６ｂの上部に延びており、通常の状態（板バネ３６ｃを押圧しない状態）では他方の導体パターン３６ｂと離間し、押圧すると他方の導体パターン３６ｂと接触するようになっている。
【００７５】
スイッチ３６は、ハウジング５２ａを照明ユニット用凹部５３ｂに挿入する際には、照明ユニット用凹部５３ｂの内周面に設けられたスイッチ用溝５３ｅに挿通される。そして、グリップ体５３は、把持部５０が組み合わされた状態においてスイッチ３６の板バネ３６ｃと対向する位置に、スイッチ孔５３ｇを備えている。そして、スイッチ孔５３ｇにはスイッチボタン３６ｅが備えられており、板バネ３６ｃを押圧することができるようになっている。なお、かかるスイッチ孔５３ｇ及びスイッチボタン３６ｅが、実用新案登録請求の範囲にいう「操作部」に相当する。
【００７６】
以上、本考案の好適な実施形態について説明したが、本考案はこれらの実施形態に限られるものではなく、本考案の趣旨を逸脱しない範囲で適宜変更が可能である。
例えば、把持部に設置する発光ダイオードとレンズの数は２つに限られるものではなく、工具ビットの先端方向を照明できればいくつでもよい。なお、作業対象物に工具ビットの影が落ちないように、発光ダイオードとレンズの数は２つ以上、かつ、工具ビットの基端部の周囲に等間隔で配置されていることが好ましい。
【００７７】
また、照明ユニット５２及び照明ユニット用凹部５１ｃ、５３ｂの軸直角方向の断面形状は第２の実施形態のような変形五角形に限られるものではなく、これら三者がある特定の向きにおいてのみ互いに嵌合する形状であればどのような形状でもよい。例えば、正五角形や正六角形の頂点の１つを切り欠いた変形六角形や変形七角形などでもよいし、円の一部を切り欠いた形状であってもよい。また、ハウジング５２ａの側面に突条を設け、照明ユニット用凹部５３ｂの内周面に前記突条と係合する係合溝を設けるようにしてもよい。
【００７８】
また、工具ビット固定体５１とグリップ体５３とを係合する係合溝５１ｆと係合突起５３ｆは、第２の実施形態においてはそれぞれ環状に形成したが、環状に限られるものではなく、工具ビット固定体５１がグリップ体５３から簡単に抜けなければ部分的に設けてもよい。
【００７９】
また、本実施形態においては、工具ビット固定体側嵌合部５１ｂを凸部に形成し、グリップ体側嵌合部５３ａを凹部に形成したが、工具ビット固定体側嵌合部５１ｂを凹部に形成し、グリップ体側嵌合部５３ａを凸部に形成してもよい。
【００８０】
また、スイッチ３６は、ハウジング５２ａの側面に設けられて、グリップ体５３の側面から操作可能であれば、図５に示した構造に限られることはない。例えば、ハウジング５２ａの側面に凹部を形成し、この凹部にスイッチ３６を取り付けるようにすれば、グリップ体５３にスイッチ用溝５３ｅを形成しなくてもよい。また、「操作部」についても、第２の実施形態に示した構造に限られるものではない。
【００８１】
また、図示は省略するが、把持部５０を手に馴染ませるとともにスイッチ３６を保護するために、ゴム製のカバー（グリップカバー）により把持部５０の周面と底部を覆うようにしてもよい。この場合、グリップカバーにスイッチの位置を明示するのが好適である。
【００８２】
また、工具ビット２０の先端形状は、本実施形態のようなドライバに限られるものではなく、例えばナット回しや袋ナット回しあるいはカッターなどに形成されていてもよい。
【図面の簡単な説明】
【００８３】
【図１】第１の実施形態に係る手工具Ｔ１を示す断面図であり、（ａ）は縦断面図、（ｂ）は（ａ）のＡ−Ａ矢視図、（ｃ）は（ａ）のＢ−Ｂ矢視図である。
【図２】手工具Ｔ１の使用状態を示す斜視図である。
【図３】手工具Ｔ２を示す縦断面図であり、（ａ）は分解図、（ｂ）は組立図である。
【図４】手工具Ｔ２の各構成要素の端面を示した図であり、（ａ）は図３（ａ）のＡ−Ａ矢視図、（ｂ）は同じくＢ−Ｂ矢視図、（ｃ）は同じくＣ−Ｃ矢視図である。
【図５】スイッチの構造を示す断面図であり、（ａ）はハウジングの側面に設置されたスイッチを示す斜視図、（ｂ）はスイッチ部分の拡大断面図（図４（ｂ）（ｃ）のＤ−Ｄ断面）である。
【符号の説明】
【００８４】
Ｔ１    手工具（第１の実施形態）
１０    把持部
２０    工具ビット
３０    照明手段
３１    白色発光ダイオード
３２    レンズ
３６    スイッチ
Ｔ２    手工具（第２の実施形態）
５０    把持部
５１    工具ビット固定体
５２    照明ユニット
５３    グリップ体
【図１】
0003101435.tif 000003
【図２】
0003101435.tif 000004
【図３】
0003101435.tif 000005
【図４】
0003101435.tif 000006
【図５】
0003101435.tif 000007